(57)【要約】【課題】本発明は、載置した商品を加熱する機能を有する商品陳列棚において、その商品陳列棚の商品を載せる面が傷付いた場合、その傷を隠して商品陳列棚の美観を維持することを目的とする。【解決手段】ショーケースの商品陳列室内に収容される商品陳列棚１２であって、棚下板１３と、棚下板１３の上に配置される加熱板１４と、加熱板１４を覆うとともに上面に商品が載置される表裏逆向き可能なリバーシブル構造の棚上板１５とを有する。【選択図】図２
2020039668.tif 000002
【特許請求の範囲】
【請求項１】
ショーケースの商品陳列室内に収容される商品陳列棚であって、
棚下板と、
前記加棚下板の上に配置される加熱板と、
前記加熱板を覆うとともに上面に商品が載置される表裏逆向き可能なリバーシブル構造の棚上板と、
を有する商品陳列棚。
【請求項２】
前記棚上板の上方に着脱可能に配置され、前記棚上板の上面に載置された前記商品を左右方向に仕切るデバイダと、
前記デバイダに設けられ、前記棚上板の浮き上がりを押える押え部と、
を有することを特徴とする請求項１記載の商品陳列棚。
【請求項３】
前記デバイダの前方側に、下向きに突出して前記棚下板に上下方向向きに形成された前部側差し込みスロットに差し込まれる前部側差し込み部が設けられ、前記デバイダの後方側に、後ろ向きに突出して前記棚下板に前後方向向きに形成された後部側差し込みスロットに差し込まれる後部側差し込み部が設けられていることを特徴とする請求項２記載の商品陳列棚。
【請求項４】
前記後部側差し込み部と前記前部側差し込み部とは、各々の前記デバイダごとに複数個ずつ設けられていることを特徴とする請求項３記載の商品陳列棚。
【請求項５】
前記棚上板の上面に載置された前記商品が手前側に落下することを規制する棚フェンスが前記商品陳列棚の手前側に着脱可能に取付られ、前記棚フェンスは前記デバイダの上部を下向きに押えていることを特徴とする請求項２ないし４のいずれか一項に記載の商品陳列棚。
【発明の詳細な説明】
【技術分野】
【０００１】
本発明は、ショーケースの商品陳列室内に収容される商品陳列棚に関する。
【背景技術】
【０００２】
従来、スーパーマーケットやコンビニエンスストア等の店舗では各種のショーケースが使用されており、その中には、商品陳列室内に上下方向に複数段の商品陳列棚を備えたものがある。これらの商品陳列棚の中には、下記特許文献１に記載されたように商品を冷温蔵切り替え可能なものが知られている。また、下記特許文献２に記載されたように、商品陳列棚の上に載置された商品を商品仕切用ワイヤで左右方向に仕切るものが知られている。
【先行技術文献】
【特許文献】
【０００３】
【特許文献１】特開２００７−２７５４８９号公報
【特許文献２】特開２００７−２９５９９２号公報
【発明の概要】
【発明が解決しようとする課題】
【０００４】
しかしながら、特許文献１に記載された商品陳列棚では、商品陳列棚の上面が載置した商品（例えば、缶コーヒー）と擦れて傷付き美観が損なわれた場合、その商品陳列棚の交換は容易でないため、美観が損なわれた商品陳列棚が継続使用されている。
【０００５】
また、特許文献２に記載されたショーケースでは、商品仕切用ワイヤは商品陳列棚の前後に設けられた取付溝や取付孔に差し込んで取付けられているが、取付溝や取付孔のピッチが小さいため、商品仕切用ワイヤの取付状態が左右方向に傾く場合がある。そして、商品仕切用ワイヤが傾くと、商品陳列棚の手前側又は奥側に商品を載置することができないデッドスペースができやすくなり、商品陳列棚の上に載置できる商品の数が少なくなり、また、載置された商品の整列状態の美観が損なわれるため、商品仕切用ワイヤの取付作業をやり直さねばならず作業性が悪かった。
【０００６】
本発明は、このような課題を解決するためになされたものであり、その目的は、載置した商品を加熱する機能を有する商品陳列棚において、その商品陳列棚の商品を載置する面が傷付いた場合、その傷を隠して商品陳列棚の美観を維持することができる商品陳列棚を提供することである。
【課題を解決するための手段】
【０００７】
本発明に係る商品陳列棚は、棚下板と、前記加棚下板の上に配置される加熱板と、前記加熱板を覆うとともに上面に商品が載置される表裏逆向き可能なリバーシブル構造の棚上板とを有する。
【０００８】
また、前述の商品陳列棚において、前記棚上板の上方に着脱可能に配置され、前記棚上板の上面に載置された前記商品を左右方向に仕切るデバイダと、前記デバイダに設けられ、前記棚上板の浮き上がりを押える押え部と、を有することが望ましい。
【０００９】
また、前述の商品陳列棚において、前記デバイダの前方側に、下向きに突出して前記棚下板に上下方向向きに形成された前部側差し込みスロットに差し込まれる前部側差し込み部が設けられ、前記デバイダの後方側に、後ろ向きに突出して前記棚下板に前後方向向きに形成された後部側差し込みスロットに差し込まれる後部側差し込み部が設けられていることが望ましい。
【００１０】
また、前述の商品陳列棚において、前記後部側差し込み部と前記前部側差し込み部とは、各々の前記デバイダごとに複数個ずつ設けられていることが望ましい。
【００１１】
また、前述の商品陳列棚において、前記棚上板の上面に載置された前記商品が手前側に落下することを規制する棚フェンスが前記商品陳列棚の手前側に着脱可能に取付られ、前記棚フェンスは前記デバイダの上部を下向きに押えていることが望ましい。
【発明の効果】
【００１２】
本発明に係る商品陳列棚によれば、棚上板の上面がこの棚上板の上面に載置された商品により傷付けられた場合には、リバーシブル構造の棚上板を表裏逆向きとすることによりその傷を隠し、商品陳列棚の美観を維持することができる。
【００１３】
デバイダの押え部によって棚上板が浮き上がることを防止することができる。さらに、棚上板を表裏逆向きとする作業は、デバイダを取外し、棚上板を裏返しにすればよく、容易に行うことができる。
【００１４】
デバイダの取付は、デバイダの前部差し込み部が棚下板の前部側差し込みスロットに下向きに差し込まれ、後部側差し込み部が棚下板の後部側差し込みスロットに後ろ向きに差し込まれて行われており、デバイダの前後において差し込み方向が異なるためにデバイダは棚下板から外れにくくなり、デバイダが棚上板を押える性能を高めることができる。
【００１５】
前部側差し込み部と後部側差し込み部とが各々のデバイダごとに複数個ずつ設けられているため、複数の前部側差し込み部を前部側差し込みスロットに差し込み、複数の後部側差し込み部を後部側差し込みスロットに差し込むことにより、デバイダを斜めに傾くことなく前後方向にまっすぐ配置することができ、デバイダの取付作業性を向上させることができる。
【００１６】
棚フェンスがデバイダを下向きに押えることにより、棚上板の浮き上がりをより一層防止することができる。
【図面の簡単な説明】
【００１７】
【図１】商品陳列部を備えたショーケースを示す断面側面図である。
【図２】商品陳列棚を示す側面図である。
【図３】商品陳列棚を示す分解側面図である。
【図４】商品陳列棚の一部を示す斜視図である。
【発明を実施するための形態】
【００１８】
本発明の一実施形態について、図面に基づいて説明する。図１はショーケース１の全体構造を示す断面側面図で、このショーケース１は、断熱材で形成された断面形状コの字型のショーケース本体２を有している。ショーケース本体２の正面側には開口３が形成され、ショーケース本体２の内部には商品陳列室４が形成されている。
【００１９】
また、ショーケース本体２の内部には背面板５が設けられており、この背面板５とショーケース本体２の内周面との間に冷気が流れる冷気ダクト６が形成されている。冷気ダクト６内には、冷気ダクト６内の空気を冷やすことにより冷気を生成する冷却器７と、生成された冷気を矢印方向に送風するファン８とが設けられている。
【００２０】
冷気ダクト６の上部側と下部側とは、ショーケース１の手前側に屈曲しており、冷気ダクト６の上部手前側には、冷気ダクト６内を送風された冷気が下向きに吹き出す冷気吹出口９が設けられている。また、冷気ダクト６の下部手前側には、冷気吹出口９から吹き出した冷気が吸い込まれる冷気吸込口１０が設けられている。冷気吹出口９から吹き出して冷気吸込口１０に吸い込まれる冷気は、矢印で示すように開口３を覆う冷気のエアカーテンを形成している。
【００２１】
背面板５における商品陳列室４側の面には、上下方向に沿って複数のブラケット１１が取付けられている。各ブラケット１１には、商品陳列棚１２が支持されている。
【００２２】
商品陳列棚１２は、図２及び図３に示すように、棚下板１３と、棚下板１３の上に配置される加熱板１４と、加熱板１４を覆うとともに上面に商品が載置される棚上板１５と、棚上板１５の前後方向に延出して棚上板１５の上面に載置された商品を左右方向に仕切るデバイダ１６とを有している。
【００２３】
棚下板１３は、皿形状に形成されて商品陳列棚１２の底板となる部材であり、この棚下板１３の先端側には、先端側立上り部１７と、棚フェンス取付部１８とが設けられている。棚フェンス取付部１８には、棚上板１５の上面に載置された商品がショーケース１の手前側に落下することを防止する棚フェンス１９が着脱可能に取付けられている。棚下板１３の後端部には、後端側立上り部２０が形成されている。
【００２４】
また、棚下板１３の先端側立上り部１７には、図４に示すように、左右方向に配列された複数の前部側差し込みスロット２１が形成されている。さらに、棚下板１３の後端側立上り部２０には、図４に示すように、左右方向に配列された複数の後部側差し込みスロット２２が形成されている。
【００２５】
加熱板１４は、同一平面上において多数のＵ字が連続して形成されるよう、いわゆるつづら折り状に折り曲げられたアルミヒータ１４ａを有しており、このアルミヒータに通電されることにより発熱する。
【００２６】
棚上板１５は、熱伝導性の良好な金属板であり、下面を加熱板１４に接触させて加熱板１４を覆うように配置され、その上面に商品が載置される部材である。棚上板１５の前後の両端には、棚下板１３の先端側立上り部１７と後端側立上り部２０とに当接して棚上板１５の配置位置を位置決めするための折曲部２３ａ、２３ｂが形成されている。この棚上板１５は、上面と下面とを表裏逆向きにして使用することが可能なリバーシブル構造とされており、２つの折曲部２３ａ、２３ｂは逆向きに折り曲げられている。
【００２７】
デバイダ１５は、金属や樹脂により形成された部材であり、棚上板１５の上方に、デバイダ１６の長手方向を棚上板１５の前後方向に向けて配置されており、棚上板１５の上面に載置された商品を左右方向に仕切っている。デバイダ１６の前方側には、下向きに突出し、棚下板１３の先端側立上り部１７に形成された前部側差し込みスロット２１に差し込まれる一対の前部側差し込み部２４が形成されている。また、棚下板１３の後方側には、後ろ向きに突出し、棚下板１３の後端側立上り部２０に形成された後部側差し込みスロット２２に差し込まれる一対の後部側差し込み部２５が形成されている。さらに、デバイダ１６の前方側には、前部側差し込み部２４が前部側差し込みスロット２１に差し込まれた場合に、棚上板１５の浮き上がりを押える押え部２６が形成されている。
【００２８】
ここで、棚フェンス１９を棚フェンス取付部１８に取付けた場合、棚フェンス１９がデバイダ１６の前部側の傾斜部２７に当接し、棚フェンス１９がデバイダ１６を下向きに押えるようになっている。
【００２９】
このような構成において、このショーケース１では、商品陳列棚１２の棚上板１５の上面に、冷却する必要がある商品、又は、加熱する必要がある商品が載置される。
【００３０】
商品陳列棚１２の棚上板１５の上面に冷却する必要がある商品を載置した場合には、冷却器７とファン８とが駆動され、冷却器７が駆動されることにより冷気が生成され、その冷気がファン８の駆動により送風される。送風された冷気は冷気ダクト６内を矢印で示すように流れて冷気吹出口９から吹き出し、冷気吹出口９から吹出した冷気は図１に示すように開口３を覆う冷気のカーテンを形成し、その冷気のカーテンを形成した冷気は冷気吸込口１０から冷気ダクト６内に吸込まれる。
【００３１】
一方、商品陳列棚１２の棚上板１５の上面に加熱する必要がある商品を載置した場合には、冷却器７とファン５との駆動を停止させ、加熱板１４のアルミヒータ１４ａに通電する。この通電により加熱板１４が加熱され、加熱板１４で発生した熱が棚上板１５の上面に載置した商品に伝え、その商品を加熱する。
【００３２】
ここで、棚上板１５の上面が載置された商品と擦れて傷付き、商品陳列棚１２の美観が損なわれる場合がある。このような場合には、この棚上板１５がリバーシブル構造であるので、棚上板１５を表裏逆向きとすることによりその傷を隠すことができ、商品陳列棚１２の美観を維持することができる。
【００３３】
棚上板１５を表裏逆向きにする作業は、棚フェンス１９を棚フェンス取付部１８から取外し、ついで、デバイダ１６を取外し、ついで、棚上板１５を取外し、取外した棚上板１５を表裏逆向きとし、再び、デバイダ１６、棚フェンス１９を取付けることにより行う、ここで、棚フェンス１９を棚フェンス取付部１８に着脱する作業、デバイダ１６を着脱する作業、棚上板１５を表裏逆向きにする作業に際しては工具を必要とせず、手間をかけず容易に行うことができる。
【００３４】
デバイダ１６の取付けが終了した状態においては、デバイダ１６の押え部２６が棚上板１５を下向きに押えており、棚上板１５の浮き上がりを押えることができる。さらに、棚フェンス１９が棚フェンス取付部１８に取付られた場合には、取付けられた棚フェンス１９がデバイダ１６の傾斜部２７に当接してデバイダ１６を下向きに押えるので、棚上板１５の浮き上がりをより一層押えることができる。
【００３５】
また、デバイダ１６の取付は、デバイダ１６の前部差し込み部２４が棚下板１３の前部側差し込みスロット２１に下向きに差し込まれ、後部側差し込み部２５が棚下板１３の後部側差し込みスロット２２に後ろ向きに差し込まれて行われている。これにより、デバイダ１６の前後において差し込み方向が異なるため、デバイダ１６は棚下板１３から外れにくくなり、デバイダ１６が棚上板１５を押える性能を高めることができる。
【００３６】
デバイダ１６の前部側差し込み部２４と後部側差し込み部２５とが各々２つずつ形成されているので、２つの前部側差し込み部２４を前部側差し込みスロット２１に差し込むとともに、２つの後部側差し込み部２５を後部側差し込みスロット２２に差し込むことにより、デバイダ１６を斜めに傾くことなく前後方向にまっすぐ配置することができる。これにより、デバイダ１６の取付け状態が傾いたためにデバイダ１６の取付けをやり直すということが発生せず、デバイダ１６の取付作業性を向上させることができる。
【符号の説明】
【００３７】
１    ショーケース
２    ショーケース本体
３    開口
４    商品陳列室
５    背面板
６    冷気ダクト
７    冷却器
８    ファン
９    冷気吹出口
１０    冷気吸込口
１１    ブラケット
１２    商品陳列棚
１３    棚下板
１４    加熱板
１５    棚上板
１６    デバイダ
１７    先端側立上り部
１８    棚フェンス取付部
１９    棚フェンス
２０    後端側立上り部
２１    前部側スロット
２２    後部側スロット
２３ａ、２３ｂ  折曲部
２４    前部側差し込み部
２５    後部側差し込み部
２６    押え部
２７    傾斜部
【図１】
2020039668.tif 000003
【図２】
2020039668.tif 000004
【図３】
2020039668.tif 000005
【図４】
2020039668.tif 000006